(57)【要約】      （修正有）【課題】授乳口付きのインナーにおいて、片手で簡単に授乳出来る事を目的とする。【解決手段】バストに対応する部分に開口可能な授乳口を有する布製の授乳口付きインナーにおいて、バストに対応する部分が、上オーバーラップ部１と下オーバーラップ部２からなる。上オーバーラップ部は、上オーバーラップ上パーツ３と上オーバーラップ下パーツ４とからなり、乳房に沿うようブラジャーのカップのように立体的に作成することにより乳房のほぼ全体を覆う。下オーバーラップ部は、着用時に乳首の上部を通り上オーバーラップ部とは重なるようにし、上オーバーラップ部上先端縁を下側外方向移動させることにより授乳口を開口して授乳口を形成する。【選択図】図１
2013127138.tif 000002
【特許請求の範囲】
【請求項１】
バストに対応する部分に開口可能な授乳口を有する伸縮性を有する布製の授乳口付きインナーにおいて、身体の前面部分パーツが、脇部から腕繰りに沿うように乳房の脇側の上部位置迄伸ばし乳房を覆いかつ乳房に沿うようにアンダーゴム部の前側中央部に向けて乳房のほぼ全体を覆うように作成された上オーバーラップ上パーツと上オーバーラップ下パーツとからなる上オーバーラップ部のパーツと、ストラップ部上部から腕繰りに沿うように上記上オーバーラップ部と３ｃｍ〜８ｃｍ重なる位置を経て、その地点からアンダーゴム部の前側中央部から外側に４ｃｍ〜９ｃｍ移動した位置にほぼ直線状に移動し、アンダーゴム部の前側中央部に移動しアンダーゴム部の前側中央部を地点から首繰り最下部へ直線状に移動させて首繰り最下部から首繰りに沿ってストラップ部に上部に戻る形状の物のその首繰り最下部とアンダーゴム部の前側中央部を直線で結び、その直線を軸に左右にシンメトリーにした左右対称の形状からなる下オーバーラップ部のパーツとから形成され、上オーバーラップ部上先端縁を外側下方向へ移動させることによりバストを露出させるための前記授乳口を形成することを特徴とする授乳口付きインナー。
【請求項２】
ハーフトップとして使用する、ことを特徴とする請求項１に記載の授乳口付きインナー。
【請求項３】
シャツとして使用する、ことを特徴とする請求項１に記載の授乳口付きインナー。
【発明の詳細な説明】
【技術分野】
【０００１】  本発明は、授乳用女性下着に関する。
【背景技術】
【０００２】  従来、女性用のインナーにおいて、授乳口付きのインナーが知られている。例えば、バストに対応する部分に、大きく開口する授乳口が設けてあって、授乳時にはインナーを脱いだり取り外したりすることなく、その授乳口を大きく開いてそこからバストを出して授乳するものである。【０００３】  授乳口は、バストを縦方向に縦断するように設けられたスリットと、これを覆う打合わせ（左右が重なり合う部分）とスナップやホックなどの留め具とによって構成されていて、不使用時には留め具スナップを止め、使用時にはスナップを外して授乳口を開くようにしている。【０００４】  また実用新案文献１に記載されているように、上オーバーラップ部の上先端縁を内側へ下オーバーラップ部の下先端縁を外側へ寄せて授乳口を開口させている。
【先行技術文献】
【実用新案文献】
【０００５】
【実用新案文献１】
実用新案登録第３０８３９７２号
【発明の概要】
【発明が解決しようとする課題】
【０００６】  しかしながら、上述のように留め具を使用するものは、その取り付け取り外しが煩雑であるという問題があった。特に重ね着をした状態で、授乳を行う際には、留め具を目視することができないために、手探りの作業となり、しかも一方の手で赤ちゃんを抱いている場合には、他方による片手での作業となって極めて煩雑なものとなる。また、留め具をつけることを前提としていて、打合わせの幅が狭いため、バストにフィットさせることができないという問題もあった。また実用新案文献１に記載されているものは、授乳時、授乳口が閉口しないよう上オーバーラップ部の上先端縁と下オーバーラップ部の下先端縁を常に手で持ってないといけない為、片手での授乳が困難である。
【課題を解決するための手段】
【０００７】  本発明は、バストに対応する部分に開口可能な授乳口を有する布製の授乳口付きインナーにおいて、バストに対応する部分が、１．上オーバーラップ部と２．下オーバーラップ部からなる。図１ように１．上オーバーラップ部は、３．上オーバーラップ上パーツと４．上オーバーラップ下パーツとからなり、乳房に沿うようブラジャーのカップのように立体的に作成することにより乳房のほぼ全体を覆う。２．下オーバーラップ部は、図３のように着用時に乳首の上部を通り、１．上オーバーラップ部とは重なるようにし、６．上オーバーラップ部上先端縁を下側外方向移動させることにより授乳口を開口して授乳口を形成することを特徴としている。【０００８】  また本発明は、授乳口付きインナーにおいて、ハーフトップもしくはシャツとして使用することを特徴としている。
【発明の効果】
【０００９】  本発明によると１．上オーバーラップ部は、バストのほぼ全体を覆って、その上先端縁がほぼバストを覆うように上側に位置する一方、２．下オーバーラップ部は、１．上オーバーラップ部に重ねられてその７．下オーバーラップ下先端縁がバストの乳首上部に位置することにより、ボタンやホックなどの留め具を設けることなく、授乳時以外はバストが不要に露出しないように覆うことができる。これにより授乳時は、図４のように片手で６．上オーバーラップ部上先端縁を下側外方向移動させることにより授乳口を開口してバストを露出させることができる。一方、授乳終了後には、６．上オーバーラップ部上先端縁を元に位置に復帰させることにより、簡単にバストのほぼ全体を覆うことができる。
【図面の簡単な説明】
【００１０】
【図１】本発明のハーフトップの正面図
【図２】下オーバーラップ部の正面図
【図３】本発明のハーフトップを着用した時の斜視図
【図４】本発明のハーフトップを着用し乳房を出した時の斜視図
【図５】本発明のハーフトップの正面図からバスト側に面するパーツを取った正面図
【図６】本発明のハーフトップの正面図から背面部分のパーツを取った正面図
【発明を実施するための形態】
【００１１】    本発明のによると、身生地には綿天竺、綿ベア天等のストレッチ性のある生地を使用する。身体のバストにあたる部分は図１ように１．上オーバーラップ部は、３．上オーバーラップ上パーツと４．上オーバーラップ下パーツを縫製して出来ており、乳房に沿うようブラジャーのカップのように立体的に作成することにより乳房のほぼ全体を覆う。また１．上オーバーラップ部上先端縁に片ピコ等の伸縮性のあるテープを縫製し、開閉時の身生地の伸びきりを防ぐ。７．下オーバーラップ部下先端縁は、図２のように着用時に乳首の上部を通り、１．上オーバーラップ部とは重なるようにし、授乳時下オーバーラップ部を移動させること無く授乳できるようにしている。２．下オーバーラップ下先端縁には片ピコ等の伸縮性のあるテープは着用時のごわつきを防ぐ為付けず、２本針オーバーミシンで全ての糸をウーリー糸を使用して２．下オーバーラップ下先端縁を補強の為に縫う。これらのことによりボタンやホックなどの留め具を設けることなく、授乳時以外はバストが不要に露出しないように覆うことができる。上オーバーラップ部と下オーバーラップ部の重なる部分は、脇繰りの位置で３ｃｍ〜８ｃｍ重なるのがのぞましく、１０．アンダーゴム部分で片側上オーバーラップ部につき４ｃｍ〜９ｃｍの合計８ｃｍ〜１８ｃｍ重なるのが望ましい。身体の背面部分は、通常の授乳口付きのインナーの形状と特に変わりは無い。例えばハーフトップの場合は図５のようなパーツを使用し図６のａと図５のａ´、図６のｂと図５のｂ´を縫うことにより完成させる。勿論首繰り、腕繰り部分は通常のハーフトップと同様に片ピコ、平ゴム等の伸縮性のあるテープを縫い合わせ伸縮性を出している。これにより授乳時は、図４にように６．上オーバーラップ部上先端縁を下側外方向移動させることにより授乳口を開口してバストを露出させることができる。一方、授乳終了後には、６．上オーバーラップ部上先端縁を元に位置に復帰させることにより、簡単にバストのほぼ全体を覆うことができる。
【符号の説明】
【００１２】１    上オーバーラップ部２    下オーバーラップ部３    上オーバーラップ上パーツ４    上オーバーラップ下パーツ５    乳首６    上オーバーラップ上先端縁７    下オーバーラップ下先端縁８    首繰り９    腕繰り１０  アンダーゴム部１１  本発明に使用される身体の背面部分のパーツ
【図１】
2013127138.tif 000003
【図２】
2013127138.tif 000004
【図３】
2013127138.tif 000005
【図４】
2013127138.tif 000006
【図５】
2013127138.tif 000007
【図６】
2013127138.tif 000008